(57)【要約】【課題】            除草や除雪、凍結除去、土壌消毒等を目的とする蒸気発生装置であって、非常に簡易な構造の圧力容器を安定的に加熱することができる蒸気発生装置を提供すること【解決手段】        目的物に蒸気を噴出するためのものであって、開口を有する水溜部11と、水溜部11と着脱可能に形成され開口を閉じる蓋部12とからなる圧力容器１と、カセットボンベの燃料を用いて水溜部11を加熱する加熱手段２と、カセットガスボンベのボンベ内部に配置されるガス噴出孔が液化ガス液面より高くなるよう傾斜させて配置するカセットボンベ設置部と、圧力容器１に接続され、発生した蒸気を目的物に噴射可能な蒸気供給流路３と、少なくとも圧力容器１および加熱手段２を引き移動又は手押し移動可能な移動手段４と、で構成される。【選択図】          図１
2014183756.tif 000002
【特許請求の範囲】
【請求項１】
蒸気を噴出するための蒸気発生装置であって、
開口を有する水溜部と、前記水溜部と着脱可能に形成され前記開口を閉じる蓋部とからなる圧力容器と、
カセットボンベの燃料を用いて前記水溜部を加熱する加熱手段と、
前記カセットガスボンベのボンベ内部に配置されるガス噴出孔が液化ガス液面より高くなるよう傾斜させて配置するカセットボンベ設置部と、
前記圧力容器に接続され、発生した蒸気を目的物に噴射可能な蒸気供給流路と、
少なくとも前記圧力容器および前記加熱手段を引き移動又は手押し移動可能な移動手段と、
を具備することを特徴とする蒸気発生装置。
【請求項２】
当該蒸気供給流路を水平方向に回転可能な回転継手を具備することを特徴とする請求項請求項１記載の蒸気発生装置。
【請求項３】
前記圧力容器を固定すると共に、前記加熱手段の熱が前記蒸気供給流路に達するのを防止する固定保護手段を具備することを特徴とする請求項１又は２記載の蒸気発生装置
【請求項４】
前記蒸気供給流路は、前記蒸気を外部に噴射するための細孔を複数有するノズルを有することを特徴とする請求項１ないし３のいずれかに記載の蒸気発生装置。
【発明の詳細な説明】
【技術分野】
【０００１】
本発明は、蒸気を用いて除草を行うための蒸気発生装置に関する。
【背景技術】
【０００２】
従来、除草や除雪、凍結除去、土壌消毒等を目的とした蒸気発生装置であって、人力で引き移動又は手押し移動可能な簡易な装置としては、水タンクと当該水タンクの水を加熱して水蒸気を発生させるボイラとを備えた可動体と、発生した水蒸気を噴射するための水蒸気噴射ホースとからなる除草装置がある（例えば、特許文献１参照）。
【０００３】
【特許文献１】特開２００２−６５１３８
【発明の開示】
【発明が解決しようとする課題】
【０００４】
しかしながら、従来の蒸気発生装置では、水タンクとボイラが別に設けられているため構造が複雑で重量も大きくなるという問題があった。また、水タンクやボイラ等の水溜部は水垢等が発生し易く、そのまま用いると加熱効率等が低下する。しかしながら、従来の除草装置では、上述したように、構造が複雑で簡単に内部を洗浄することができなかった。
【０００５】
また、カセットボンベはその構造上、移動中や停止時の震動などで、カセットボンベの液化燃料がボンベ本体内の噴射口から直接液体のまま排出されるおそれがある。したがって、なるべくカセットボンベの傾きを抑える工夫や、除草装置の移動量を減らす工夫が必要である。
【０００６】
そこで本発明では、除草や除雪、凍結除去、土壌消毒等を目的とする蒸気発生装置であって、非常に簡易な構造の圧力容器を安定的に加熱することができる蒸気発生装置を提供することを目的とする。
【課題を解決するための手段】
【０００７】
上記目的を達成するために、本発明の蒸気発生装置は、目的物に蒸気を噴出するためのものであって、開口を有する水溜部と、前記水溜部と着脱可能に形成され前記開口を閉じる蓋部とからなる圧力容器と、カセットボンベの燃料を用いて前記水溜部を加熱する加熱手段と、前記カセットガスボンベのボンベ内部に配置されるガス噴出孔が液化ガス液面より高くなるよう傾斜させて配置するカセットボンベ設置部と、前記圧力容器に接続され、発生した蒸気を目的物に噴射可能な蒸気供給流路と、少なくとも前記圧力容器および前記加熱手段を引き移動又は手押し移動可能な移動手段と、を具備することを特徴とする。
【０００８】
この場合、前記蒸気供給流路を水平方向に回転可能な回転継手を具備する方が好ましい。また、前記圧力容器を固定すると共に、前記加熱手段の熱が前記蒸気供給流路に達するのを防止する固定保護手段を具備する方が好ましい。また、前記蒸気供給流路は、前記蒸気を外部に噴射するための細孔を複数有するハス状のノズルを有する方が好ましい。
【発明の効果】
【０００９】
本発明の蒸気発生装置は、圧力容器を簡単な構成にするので、軽量化を図ることができる。また、圧力容器は、構成が簡単であると共に、水溜部と蓋部とが着脱可能に形成されるため、容易に内部を洗浄することができる。
【００１０】
また、回転継手によって当該蒸気供給流路を水平方向に回転可能な構成にすることにより、３６０度自由に蒸気供給流路を扱うことができるので、蒸気発生装置の移動量を大幅に減らすことができる。
【００１１】
また、カセットガスボンベを移動手段による移動時の傾きが静止時の傾きより大きくなるように傾斜させて配置することにより、移動や振動により液化ガスが液面が揺られ液化ガスが液体のまま噴出し異常燃焼を起こすのを抑制できカセットボンベの傾きが不安定になり易い移動時の問題を抑制することができ、水溜部を安定的に加熱することができる。
【図面の簡単な説明】
【００１２】
【図１】本発明の蒸気発生装置の一部を断面で示す正面図である。
【図２】本発明の蒸気発生装置を示す平面図である。
【図３】本発明の蒸気発生装置の別の実施例を示す正面図である。
【発明を実施するための形態】
【００１３】
本発明の蒸気発生装置は、図１，図２に示すように、目的物に蒸気を噴出するためのものであって、開口を有する水溜部11と、水溜部11と着脱可能に形成され開口を閉じる蓋部12とからなる圧力容器１と、カセットボンベの燃料を用いて水溜部11を加熱する加熱手段２と、カセットガスボンベのボンベ内部に配置されるガス噴出孔が液化ガス液面より高くなるよう傾斜させて配置するカセットボンベ設置部と、圧力容器１に接続され、発生した蒸気を目的物に噴射可能な蒸気供給流路３と、少なくとも圧力容器１および加熱手段２を引き移動又は手押し移動可能な移動手段４と、で主に構成される。
【００１４】
ここで目的物とは、発生した高温の蒸気を利用できるものであれば特に限定されないが、例えば、除草目的における雑草や除雪目的における雪、凍結除去目的における凍結部、土壌消毒目的における土壌が該当する。
【００１５】
圧力容器１は、水から、例えば９０℃以上の高温の蒸気を発生させるためのもので、水溜部11と蓋部12で構成される。水溜部11は、一方に開口を有する有底筒状に形成すれば良い。蒸気の元となる水は、この開口から中に供給すればよい。水溜部11に溜めることのできる水の量は、カセットボンベ１本の燃焼で蒸気にすることができる量と同程度にするのが良く、例えば、市販のカセットボンベであれば２Ｌ程度の容量のものを用いれば良い。また、水溜部11は、内部の洗浄を容易にするために、円筒形で底面との間に角のない流線形のものの方が好ましい。
【００１６】
また、蓋部12は、水溜部11と着脱可能に形成され水溜部11の開口を閉じることができるように形成される。着脱するための構造は、蒸気発生時の圧力下においても開口が開かない構造のものであれば従来から知られているどのようなものでも良いが、例えば、水溜部11と蓋部12を嵌合する構造のものや螺合する構造のものを用いることができる。
【００１７】
また、圧力容器１には、蒸気供給流路３に接続され、一定の火力に応じて一定の蒸気を排出することができる蒸気排出口13が形成される。蒸気排出口13の大きさは、温度が上昇すると内部の圧力が上がり、内部の圧力を下げるように蒸気を放出できる大きさとする。蒸気排出口13はどの位置に設けても良いが、例えば、蓋部12の中央に形成すれば良い。
【００１８】
圧力容器１の材質は、蒸気発生時の圧力に対する耐圧性を有するものであればどのようなものでも良く、例えばステンレス製のものを用いることができる。
【００１９】
また、水溜部11と蓋部12との間は、発生した蒸気が漏れないようにＯリング等のシール部材が配置される。更に、圧力容器１内が所定の圧力になると水溜部11と蓋部12が開かないように閉鎖するロック機構を有していても良い。このような圧力容器１としては、例えば、市販されている圧力鍋を利用することも可能である。
【００２０】
加熱手段２は、圧力容器１の水溜部11をカセットボンベから供給されるガスを燃焼させて加熱することができるものであればどのようなものでも良く、例えば、カセットコンロを用いることができる。また、バーナーやトーチを用いても良い。
【００２１】
また、カセットボンベは、その構造上、移動中や停止時の震動などで、カセットボンベの液化燃料がボンベ本体内の噴射口から直接液体のまま排出されるおそれがある。そこで、カセットガスボンベのボンベ内部に配置されるガス噴出孔は液化ガス液面より高くなるようカセットボンベを傾斜させて配置する方が好ましい。例えば、移動手段４を静止させている状態において、カセットボンベのガス噴出口側が底面側よりも高くなるように傾斜させて配置するカセットボンベ設置部を設ける。これにより、カセットボンベの燃料が液体のまま加熱手段２に供給されるのを防止することができ、水溜部11を安定的に加熱することができる。傾斜角度は、例えば、カセットボンベを水平にした状態から２〜５度傾けたものとすれば良い。また、カセットコンロのように、カセットボンベ載置部が加熱手段２と一体となっている場合には、加熱手段２ごと傾斜するようにしても構わない。カセットガスボンベの傾斜の向きは移動方向に、しかも移動時に台車の取手42を上げた際に、カセットガスボンベの傾きが無くならない方向が望ましい。したがって、図３のように、車輪が取手42側に設けられている台車の場合には、図１とは逆方向に、カセットボンベを傾斜させる方が好ましい。
【００２２】
蒸気供給流路３は、圧力容器１の蒸気排出口13に接続され、蒸気噴出口31から雑草等の目的物に発生した蒸気を噴出するためのものである。当該流路は、使用時にある程度引き回して蒸気噴出口31を移動できる自由度を有し、蒸気温度に対し耐熱性を有するものであればどのようなものでも良く、例えば可撓性のあるゴムホース等を用いることができる。ゴムホースの肉厚は、使用時に蒸気噴出口31を移動する際の自由度を損なわず、誤って手等に触れても、短時間なら火傷をしない厚さとするのが好ましい。蒸気供給流路３の長さは、目的物に９０℃以上の蒸気を噴出できる長さとすれば良く、例えば、１〜３ｍ程度に設定すれば良い。
【００２３】
また、蒸気供給流路３には、保温用のカバー32や引き回しのための取手33を設けることも可能である。また、圧力容器１の蒸気排出口13との接続は、圧力容器１内の圧力が一定以上になると外れる強さで固定する方が良い。これにより、蒸気供給流路３が折れ曲がり蒸気の進路を断たれた場合などに、蒸気供給流路３が蒸気排出口13から外れ、安全を確保することができる。もちろん、所定圧力以上になると圧力容器１内の蒸気を外に逃がす安全弁を別途設けても良い。
【００２４】
また、蒸気供給流路３の蒸気噴出口31は、蒸気を外部に噴出するための細孔を複数有するハス状のノズル34を有する方が好ましい。細孔の大きさや数は、９０℃以上の蒸気を所定範囲の圧力で噴出できる範囲に適宜設定すれば良い。これにより、蒸気を均一に噴出することができる。また、蒸気供給流路３は、石や木等にぶつけた際に蒸気噴出口31やノズル34を保護するための保護カバー35を更に設けても良い。
【００２５】
更に蒸気供給流路３を圧力容器１の上方に配置し、当該蒸気供給流路３を水平方向に回転可能な回転継手36を設ける方が良い。これにより、３６０度自由に蒸気供給流路を移動して、目的物に蒸気を噴出することができるので、蒸気発生装置の移動量を大幅に減らすことができる。
【００２６】
移動手段４は、少なくとも圧力容器１および加熱手段２を引き移動又は手押し移動するためのものである。例えば、移動用の車輪41と引き移動又は手押し移動するための取手42と、加熱手段２や圧力容器１を載置する台座43とからなる台車を用いれば良い。勿論これらに限られる物ではなく、車輪を無限軌道にする等の変形も可能である。また、静止時に移動手段４の動きを固定するスタンド44を更に有していても良い。
また、移動手段４には、圧力容器１を固定すると共に、加熱手段２の熱が蒸気供給流路３に達するのを防止する固定保護手段45を設けても良い。例えば、加熱手段２上の圧力容器１の水溜部11の側面に位置する任意の高さに、圧力容器１の水溜部11と略同形の穴を有する板を配置すれば良い。当該板は金属等の不燃性の材質により形成される。また、圧力容器１や固定保護手段45を内包する筐体46を更に設けても良い。この場合には、加熱手段２へ酸素を導く給気口（図示せず）を台座の下部に設け、排気するための排気口47を筐体の上部に設ける。
【符号の説明】
【００２７】
１  圧力容器
２  加熱手段
３  蒸気供給流路
４  移動手段
11  水溜部
12  蓋部
13  蒸気排出口
31  蒸気噴出口
32  カバー
33  取手
34  ノズル
35  保護カバー
36  回転継手
41  車輪
42  取手
43  台座
44  スタンド
45  固定保護手段
46  筐体
47  排気口
【図１】
2014183756.tif 000003
【図２】
2014183756.tif 000004
【図３】
2014183756.tif 000005